(57)【要約】【課題】一本で骨盤の矯正と姿勢の矯正、さらには腰痛の緩和、治癒といった複数の用途に使用可能なサポートベルトを提供する。【解決手段】サポートベルト１０は、身体の腰部を周回する帯状の本体部１２と、身体の丹田部分に相当する位置に装着された丹田パッド１８と、身体の腰椎部分に相当する位置もしくは仙骨部分に相当する位置に装着された腰椎仙骨両用パッド１６と、丹田パッド１８に対して身体の丹田部分を押圧するための外力を付与するとともに腰椎仙骨両用パッド１６に対して身体の腰椎部分もしくは前記仙骨部分を押圧するための外力を付与する圧力調整ゴム１４を備えている。腰椎仙骨両用パッド１６と丹田パッド１８との相対的な高さを変更することで腰椎仙骨両用パッド１６を腰椎押圧用もしくは仙骨押圧用の何れかの用途に用いることができ、これによりサポートベルト１０の用途を変更することができる。【選択図】図１
0003176411.tif 000002
【実用新案登録請求の範囲】
【請求項１】
身体の腰部を周回する帯状の本体部と、
前記本体部の身体の丹田部分に相当する位置に装着された丹田パッドと、
前記本体部の身体の腰椎部分に相当する位置もしくは仙骨部分に相当する位置に装着された腰椎仙骨両用パッドと、
前記丹田パッドに対して前記丹田部分を押圧するための外力を付与するとともに前記腰椎仙骨両用パッドに対して前記腰椎部分もしくは前記仙骨部分を押圧するための外力を付与する圧力調整ゴム、
を備え、
前記腰椎仙骨両用パッドと前記丹田パッドとの相対的な高さを変更することで前記腰椎仙骨両用パッドが前記腰椎部分もしくは前記仙骨部分の何れか一方を押圧することを特徴とする、
サポートベルト。
【請求項２】
前記本体部が、前記丹田パッドが装着された部分と前記腰椎仙骨両用パッドが装着された部分の間に高低差が設けられており、前記両部分を繋ぐ部分の縁部が斜めに傾斜していることを特徴とする、
請求項１に記載のサポートベルト。
【請求項３】
前記丹田パッドが前記本体部の横方向において装着位置を変更可能であり、前記腰椎仙骨両用パッドが前記本体部の縦方向において装着位置を変更可能であることを特徴とする、
請求項１または２に記載のサポートベルト。
【請求項４】
前記丹田パッドの形状が概略矩形であり、前記腰椎仙骨両用パッドの形状が概略二等辺三角形であることを特徴とする、
請求項１乃至３の何れかに記載のサポートベルト。
【考案の詳細な説明】
【技術分野】
【０００１】
本考案は、身体の腰部に装着するサポートベルトに関し、特に骨盤の開きや歪み等を改善し、さらには姿勢の矯正を促すサポートベルトに関する。
【背景技術】
【０００２】
骨盤は体重の支持、体幹と下肢の連結、骨盤臓器の保護、産道（女性のみ）としての役割を担っており、人間が正しい姿勢を維持するための要ともいえる部分である。しかし現代人の骨盤は正常な位置から開いている状態になっていることが多い。このような骨盤の開きは姿勢の不均衡、外傷、大きな衝撃（交通事故など）、出産、生理、加齢や運動不足による筋力の低下や疲労などが原因とされている。特に女性の場合は出産後に骨盤を矯正することなく年齢を重ねた結果として骨盤の開きを併発することがある。骨盤の開きによる健康上の弊害は多岐に及び、例えば股関節の動きが阻害されることにより腰や膝に掛かる負担が大きくなるほか、猫背を誘発し、特に女性の場合はＸ脚やＯ脚の原因となることもある。さらには椎間板に過度のストレスが加わり、腰痛や椎間板ヘルニアを発症することもある。
【０００３】
また現代人は昔の人に比べると姿勢が悪くなったと指摘されることが多い。姿勢が悪いと全身の血液、リンパ液、分泌の循環が悪くなったり、血管、神経、じん帯の一部分に過度の緊張や緩弛が発生し痛みが発生したりするなど健康上の被害は全身に亘り多岐多様に及ぶ。
【０００４】
これに関連して、多くの現代人が抱える悩みの一つに腰痛がある。腰痛の原因は大きく分けると、整形外科的な要因による腰痛、内臓疾患よる腰痛、心理的な要因による腰痛の３つに分類される。腰痛はレントゲンやではっきりとした原因がわかる場合とわからない場合とに分けられる。多くの場合、腰痛の治療には理学療法やマッサージ治療等を行い、サポートベルトを併用するが、症状が重篤なほどサポートベルトは頑丈な作りとなるため、常時装着すると身体的な苦痛を伴うのが現状である。
【０００５】
特許文献１および特許文献２には、骨盤の位置や形状を安定させ、正しい姿勢を維持することにより腰痛の改善を図るという技術が開示されている。特許文献１に記載されたガードルは、骨盤の開閉運動の中心である仙骨を前後から挟むように押さえることで骨盤の歪み等を矯正するように構成されている。また特許文献２に記載された姿勢改善サポート衣類は、帯状の腰部緊締部が下腹部から腰部をサポートし、骨盤の位置を安定させることで正しい姿勢を維持できるように構成されている。
【先行技術文献】
【特許文献】
【０００６】
【特許文献１】特開２００８−１８４７０４号公報
【特許文献２】特開２０１０−２６１１１８号公報
【考案の概要】
【考案が解決しようとする課題】
【０００７】
上述したように骨盤の開きや歪みと姿勢の悪化、腰痛の間には密接な相関関係があり、同時に発生することも多いのであるが、これまでのサポートベルト類は特定の症状にのみ対応するものであって複数の症状に対応できるものではなかった。そのため、それぞれ用途の異なるサポートベルトを何本も所持しておき、症状に応じて使い分けるなど煩雑でコストが嵩むという問題があった。また素人の判断では症状を見誤ることがあり、その場合は用途の異なるサポートベルトを購入し、間違いに気付いて買い直すなど無駄な出費が発生することもある。さらには間違えたまま用途の異なるサポートベルトを使い続けた結果、逆に症状が悪化することも考えられる。
【０００８】
本考案はこのような問題を解決するものであり、骨盤の矯正と姿勢の矯正、さらには腰痛の緩和、治癒といった複数の用途に対応することができるサポートベルトを提供することを目的とする。
【課題を解決するための手段】
【０００９】
本考案のサポートベルトは、身体の腰部を周回する帯状の本体部と、前記本体部の身体の丹田部分に相当する位置に装着された丹田パッドと、前記本体部の身体の腰椎部分に相当する位置もしくは仙骨部分に相当する位置に装着された腰椎仙骨両用パッドと、前記丹田パッドに対して前記丹田部分を押圧するための外力を付与するとともに前記腰椎仙骨両用パッドに対して前記腰椎部分もしくは前記仙骨部分を押圧するための外力を付与する圧力調整ゴム、を備え、前記腰椎仙骨両用パッドと前記丹田パッドとの相対的な高さを変更することで前記腰椎仙骨両用パッドが前記腰椎部分もしくは前記仙骨部分の何れか一方を押圧することを特徴とする。
【００１０】
丹田とは、臍下丹田と呼ばれるようにへその下の５〜１０ｃｍの部位をいう。丹田パッドは丹田に集中的に加圧することで、サポートベルトの使用者に丹田を意識させながら下腹部に適度な緊張感もたせ、自ら骨盤を正常な位置に矯正するように意識付ける役割を担っている。
【００１１】
また腰椎は、頭蓋骨から骨盤に至る脊椎の一部で胸椎と仙椎の間にある部分であり、間に椎間板を挟んだ５個の骨で構成されている。腰椎仙骨両用パッドを腰椎に加圧する腰椎パッドとして用いたときは身体を背中側から押圧することで、身体を腹部側から押圧する丹田パッドと協働して骨盤に前傾モーメントを作用させ、後傾しがちな骨盤を正常な位置に安定させる働きがある。骨盤に効果的な前傾モーメントを作用させるためには、骨盤に近い位置にある第三腰椎乃至第五腰椎を押圧することが好ましい。また腰椎仙骨両用パッドが本体部と背中の隙間をなくし腰椎を安定させることができる。
【００１２】
サポートベルトは腰椎仙骨両用パッドを腰椎押圧用として用いた場合に姿勢矯正具として機能する。姿勢矯正具としては、丹田パッドと腰椎仙骨両用パッドを身体の前後から当てることで加圧のバランスが良くなり、必要以上に腹圧をかけることなく長時間装着することが可能になり、腰腹部の筋肉をサポートし腰椎を安定させることで特に意識することなく自然に姿勢が良くなるように配慮されている。
【００１３】
サポートベルトには、姿勢矯正具としての機能の他に腰痛時のサポーターとしての機能もあり、腰椎パッドが身体とサポートベルトの隙間を埋め、骨盤を正常な位置に矯正することで、重いものを持ったりする場合も身体を後ろに反らすことができる効果が期待できる様に配慮されている。
【００１４】
骨盤は寛骨（腸骨と恥骨と坐骨）と仙骨で構成されている。このうち仙骨を挟んだ位置にある左右一対の腸骨は、仙骨を中心とした開閉動作を周期的に繰り返し行っている。腸骨の開閉動作には身体の生理バランスを整える作用があり、開閉動作が阻害されると身体の生理バランスが崩れ、便秘や生理痛、不眠、肥満などの症状が起きやすくなるといわれている。サポートベルトは腰椎仙骨両用パッドを仙骨押圧用として用いた場合に骨盤矯正具として機能する。骨盤矯正具としては、腸骨を過度に締め付けることを目的としたものではなく、丹田パッドと腰椎仙骨両用パッドを用いることで骨盤を構成する主要な腸骨と仙骨を正常な位置に矯正させることを目的としており、腸骨を過度に圧迫することによる開閉動作の阻害が起きないように配慮されている。
【００１５】
サポートベルトは腰椎仙骨両用パッドと丹田パッドに高低差を設けた状態で使用する。高低差を設ける方法としては、予め本体部の腰椎仙骨両用パッドを装着する部分と丹田パッドを装着する部分との間に高低差を設けておく方法、腰椎仙骨両用パッドが本体部の縦方向において装着位置を変更可能にする方法などがある
【考案の効果】
【００１６】
本考案のサポートベルトは、一本で骨盤の矯正と姿勢の矯正、さらには腰痛の緩和、治癒といった複数の用途に使用することができ、症状に応じて複数のサポートベルトを使い分ける必要がないため、利便性が高く、また経済的である。姿勢矯正および骨盤矯正の何れの用途に使用する場合であっても丹田部分に加圧することで使用者の下腹部に適度な緊張感もたせ、自ら骨盤を正常な位置に矯正するように意識付け、継続して使用することで正常な姿勢や骨盤が正常な位置に安定し、習慣付けされるようになる。最終的にはサポートベルトを装着していない場合でも正常な姿勢を維持することできるようになる効果が期待できる。
【図面の簡単な説明】
【００１７】
【図１】姿勢矯正具の裏側を示す図
【図２】姿勢矯正具の表側を示す図
【図３】姿勢矯正具の装着手順を示す図
【図４】姿勢矯正具を装着した状態を示す図
【図５】姿勢矯正具の効果を説明するための図
【図６】骨盤矯正具の裏側を示す図
【図７】骨盤矯正具を装着した状態を示す図
【図８】骨盤矯正具の効果を説明するための図
【考案を実施するための形態】
【００１８】
本考案の実施の形態について、添付の図面を参照して説明する。本考案のサポートベルトには主として姿勢の矯正を目的とする姿勢矯正具と、主として骨盤の矯正を目的とする骨盤矯正具として２つの用途があり、それぞれ異なる作用および効果を有している。図１は姿勢矯正具を拡げた状態で裏側からみた図であり、図２は同じく表側からみた図である。姿勢矯正具は身体に装着したときに外側に現れる側を表とし、身体（被服）と接する側を裏としている。
【００１９】
姿勢矯正具１０は横方向に長く伸びたベルト状に形成されている。姿勢矯正具１０は、ベルト状の本体部１２と、本体部１２の表側の略中央に横長に配された圧力調整ゴム１４と、本体部１２の裏側の略中央に配された腰椎パッド１６と、同じく本体部１２の裏側の一方の端部に配された丹田パッド１８によって構成されている。
【００２０】
本体部１２はポリエステル等の衣料用繊維を素材として、左右の帯状部分２０と、帯状部分２０より幅広の中央部分２２と、帯状部分２０と中央部分２２を繋ぐ連結部分２４で構成されている。中央部分２２は左右の帯状部分２０に対して上方に偏った位置に設けられており、連結部分２４はこれらの両部分を斜めに繋いでいる。
【００２１】
本体部１２には面ファスナー３０、３２、３４、３６が取り付けられている。このうち面ファスナー３０、３２は姿勢矯正具１０の裏側に取り付けられている。面ファスナー３０は本体部１２の中央部分２２に取り付けられており、腰椎パッド１６は裏側に設けられた雄の面ファスナーによって面ファスナー３０の任意の箇所に装着可能になっている。面ファスナー３２は本体部１２の裏側の右端から中央寄りにかけての帯状部分に横長の領域に取り付けられている。丹田パッド１８は裏側に設けられた雄の面ファスナーによって面ファスナー３２の任意の箇所に装着可能になっている。
【００２２】
腰椎パッド１６は軟質ウレタンフォームをポリエステル等の衣料用繊維で被覆したものであり、全体が二等辺三角形状に形成されている。腰椎パッド１６は通常は底辺にあたる部分を上側にした逆三角形の向きで使用するが、姿勢矯正具１０の使用者の腰の窪み部分（腰椎の部分）の形状や好みに応じて上下の向きを変えることができる。また面ファスナー３０の長さの範囲内で横方向の位置の変更が可能であり、幅の範囲内で縦方向の位置の変更も可能である。
【００２３】
丹田パッド１８は腰椎パッド１６と同じく軟質ウレタンフォームをポリエステル等の衣料用繊維で被覆したものであるが、こちらは全体が矩形状に形成されている。丹田パッド１８は面ファスナー３２の長さの範囲内で横方向の位置の変更が可能であり、腰椎パッド１６を腰の窪み部分に当てたときに丹田パッド１８が丹田に当たるように装着位置を調整して使用する。
【００２４】
面ファスナー３４、３６は姿勢矯正具１０の表側の左右の帯状部分にそれぞれ取り付けられている。圧力調整ゴム１４は両端部分に雄の面ファスナー３８、４０が設けられており、一方の端部の面ファスナー３８を面ファスナー３４の任意の箇所に貼着し、他方の端部の面ファスナー４０を面ファスナー３６の任意の箇所に貼着する。面ファスナー３８、４０の貼着位置を変更することにより圧力調整ゴム１４の張力を自在に調整することができる。圧力調整ゴム１４は２本の同幅の帯状ゴムで構成されている。２本の帯状ゴムは留め具４２によってそれぞれの中央部が縦方向にずれた状態で本体部１２に取り付けられており、端部に行くに従ってずれ幅が徐々に縮まり、端部では２本の帯状ゴムが完全に重なって１本の帯状ゴムの幅と同等になっている。圧力調整ゴム１４は取り付け位置が縦方向にずらされた２本の帯状ゴムによって腰椎パッド１６の全体に満遍なく押圧力を付与することができる。
【００２５】
姿勢矯正具１０の裏側の丹田パッド１８が装着された端部とは反対側の端部には雄の面ファスナー４４が取り付けられている。この面ファスナー４２は姿勢矯正具１０を腰周りに装着するときに使用するものであり、姿勢矯正具１０の表側の面ファスナー３４に貼着することにより姿勢矯正具１０を環状にして腰周りに固定することができる。
【００２６】
姿勢矯正具１０の装着方法について説明する。姿勢矯正具１０は本体部１２を腰周りの最適な位置に装着し、次に圧力調整ゴム１４を適当な長さに伸ばして本体部１２の締め付け力を調整する。
【００２７】
本体部１２は、図３に示すように中央部分２２が偏っている側を上向きにし、中央部分２２を腰部の背中側に当て、帯状部分２０が両脇腹を通って腹部側に周回するように腰周りに巻き付ける。本体部１２を装着する位置は、図５に示すように腰椎パッド１６が背中側の窪みに接し、丹田パッド１８が下腹部の丹田に接する位置となる。腰椎パッド１６および丹田パッド１８がこの所定の位置に接するように腰部の大きさに合わせて丹田パッド１８の装着位置を調整する。腰椎パッド１６と丹田パッド１８の高低差は腰椎パッド１６の装着位置によって調整する。
【００２８】
本体部１２を所定の位置に装着したら、次に本体部１２の締め付け力を調整する。締め付け力の大きさは圧力調整ゴム１４の長さによって調整する。圧力調整ゴム１４は両端部を左右の手で持って背中側から腹部側に伸ばし、図４に示すように本体部１２の帯状部分２０に固定する。圧力調整ゴム１４の張力によって本体部１２が腰周りを締め付け、腰椎パッド１６と丹田パッド１８に対してそれぞれ接触した部分を身体内側に押圧する外力が付与される。腰椎パッド１６は、図５に示すように仙骨（骨盤）５０に繋がる腰椎の部分、特に第三腰椎５２、第四腰椎５４、第五腰椎５６の部分を押圧する。これにより骨盤５０には前傾を促すモーメントが作用する。圧力調整ゴム１４の両端部を腹部側まで伸ばすと、腰椎パッド１６が腰椎部分を押圧する力が大きくなり、骨盤５０に作用する前傾モーメントが増大する。
【００２９】
このようにして装着された本体部１２は、中央部分２２が身体の背中側に位置し、帯状部分２０が腹部側に位置し、これらを繋ぐ連結部分２４が骨盤の外側（腸骨）の部分に位置する。連結部分２４は腹部側から背中側に向けて上方に斜行しているため、骨盤５０の腸骨部分に接触しないか、接触してもその面積は小さいものになっている。圧力調整ゴム１４は、先端に行くに従って２本の帯状ゴムの重なり合う部分の面積が漸増し、全体として幅が狭まっていくため、腸骨部分に圧力調整ゴム１４の張力が極力加わらないようになっている。これにより、姿勢矯正具１０を装着した場合に骨盤が過度に締め付けられたり圧迫されたりすることがないため、骨盤生理バランスの崩れや便秘、生理痛、不眠、肥満などの発症を緩和することができる。
【００３０】
姿勢矯正具１０は、腰椎パッド１６および丹田パッド１８の装着に面ファスナーを使用しているため、装着位置の微調整が可能であり、体格や体型に合わせた肌理細やかな調整を簡単に行うことができる。圧力調整ゴム１４も同じく面ファスナーによる張力の微調整が可能であるため、症状や好みに応じた押圧力を簡単に設定することができる。
【００３１】
姿勢矯正具１０は、これまでに述べたような骨盤の後傾を是正する姿勢矯正具としての機能のほかに、骨盤の開きを矯正する骨盤矯正具としての機能も有している。図６に示すように骨盤矯正具６０は構成においては姿勢矯正具１０と何ら変わるとことはない。姿勢矯正具１０との相違点は、本体部６２の上下の向きが姿勢矯正具１０のときの逆になっている点、および腰椎パッド１６が仙骨パッド６６として機能する点である。仙骨パッド６６は腰椎パッド１６と共用される両用パッドであり、所定の位置に装着することで身体の仙骨部分と接触し、圧力調整ゴム６４の張力によって仙骨を身体内側に向けて押圧する外力が付与される。仙骨パッド６６は三角形の底辺が身体の上側を向くように本体部６２に装着する。
【００３２】
骨盤矯正具６０を使用する場合、姿勢矯正具１０と同様、最初に本体部６２を腰周りの最適な位置に装着し、次に圧力調整ゴム６４を適当な長さに伸ばして本体部６２の締め付け力を調整する。本体部６２は丹田パッド６８が丹田部分に接触し、仙骨パッド６６が仙骨部分に接触する位置に装着する。このような位置に装着された本体部６２は、姿勢矯正具１０のときとは異なり、骨盤（腸骨）の一番外側の部位（上前腸骨棘）を通って骨盤周りを囲繞する。本体部６２は圧力調整ゴム６４の張力によって骨盤周りに締め付けられることにより、開いた腸骨を矯正し、正常な位置に締め込む作用がある。また仙骨パッド６６には仙骨を身体内側に向けて押圧し、正常な位置に締め込む作用がある。
【００３３】
このように姿勢矯正具１０と骨盤矯正具６０は全く同一の構成であるが、姿勢矯正具１０には骨盤の後傾を是正し、正常な位置および傾きに導くことで正しい姿勢に矯正する作用がある。一方、骨盤矯正具６には骨盤の開き、歪み、ずれ等を矯正する作用がある。本考案の矯正具は一本で姿勢矯正具１０と骨盤矯正具６０という機能、作用、効果の異なる２通りの使い道があるため、経済的であるだけでなく、症状の異なる複数の使用者、例えば家族の間で共有することも可能である。
【符号の説明】
【００３４】
１０  姿勢矯正具
１２  本体部
１４  圧力調整ゴム
１６  腰椎パッド
１８  丹田パッド
２０  帯状部分
２２  中央部分
２４  連結部分
５０  骨盤
６０  骨盤矯正具
６２  本体部
６４  圧力調整ゴム
６６  仙骨パッド
６８  丹田パッド  
【図１】
0003176411.tif 000003
【図２】
0003176411.tif 000004
【図３】
0003176411.tif 000005
【図４】
0003176411.tif 000006
【図５】
0003176411.tif 000007
【図６】
0003176411.tif 000008
【図７】
0003176411.tif 000009
【図８】
0003176411.tif 000010